(57)【要約】【課題】水平面に載置されて使用される場合と、壁に取り付けられて使用される場合の両方において、水等の液体が進入しても速やかに排出することができる充電器を提供する。【解決手段】充電器１Ａは、バッテリを着脱可能に装着して充電可能である。充電器１Ａは、筐体と、上側に開口する開口部２３を有し、バッテリが装着される装着部７と、筐体の下側の壁部３１Ｂのうち外側を向く壁面３１０と装着部７とを連通する第１排出路７６と、筐体の前側の壁部２１Ｆのうち外側を向く壁面２１０と装着部７とを連通する第２排出路７７とを備える。下方向と重力方向とが一致する向きで充電器１Ａが配置された水平姿勢で、装着部７６に進入した液体は第１排出路７６から排出される。前方向と重力方向とが一致する向きで配置された垂直姿勢で、装着部７に進入した液体は第２排出路７７から排出される。【選択図】図１０
2019193469.tif 000002
【特許請求の範囲】
【請求項１】
バッテリを着脱可能に装着して充電可能な充電器であって、
筐体と、
第１方向の一方側に開口する開口部を有し、前記バッテリが装着される装着部と、
前記筐体の前記第１方向の他方側の第１壁部のうち外側を向く第１壁面と前記装着部とを連通する第１排出路と、
前記筐体の前記第１方向と直交する第２方向の一方側の第２壁部のうち外側を向く第２壁面と前記装着部とを連通する第２排出路と
を備え、
前記第１方向の他方側を向く方向と重力方向とが一致する向きで配置された第１姿勢で、前記装着部に進入した液体は前記第１排出路から排出され、
前記第２方向の一方側を向く方向と前記重力方向とが一致する向きで配置された第２姿勢で、前記装着部に進入した前記液体が前記第２排出路から排出されることを特徴とする充電器。
【請求項２】
前記装着部は、
受底部、前記第２壁部、及び、一対の側板部により形成される凹状を有し、
前記第２壁部は、前記第２方向の一方側の端部に設けられ、
前記一対の側板部は、前記第１方向及び前記第２方向と直交する第３方向に対向し、
前記受底部は、
前記開口部の前記第２方向の他方側の端部から、前記第２方向の一方側に行くにつれて前記第１方向の他方側に傾斜した第１傾斜方向に延びる第１斜面、及び、前記第２壁部に近接する部分から、前記第２方向の他方側に行くにつれて前記第１方向の他方側に傾斜した第２傾斜方向に延びる第２斜面を有し、
前記第１斜面と前記第２斜面とは、それぞれの前記第１方向の他方側の端部で接続し、
前記第１斜面と前記第２斜面とが接続する接続部分は、前記第３方向に延び、且つ、前記第３方向の略中央に向けて前記第１方向の他方側に傾斜し、
前記第１排出路は、
前記接続部分の前記第３方向の略中央から前記第１方向の他方側に延び、前記第１壁面と連通することを特徴とする請求項１に記載の充電器。
【請求項３】
前記第２排出路は、
前記受底部の前記第２斜面と前記第２壁部とが近接する近接部分から、前記第１方向の他方側に延び、前記第２壁面のうち前記第１方向略中央の部分に連通することを特徴とする請求項２に記載の充電器。
【請求項４】
前記受底部の前記第２斜面と前記第１壁面とを連通する第３排出路を更に備え、
前記第１姿勢で、前記装着部に進入した前記液体は、前記第１排出路、前記第２排出路、及び前記第３排出路から排出されることを特徴とする請求項２又は３に記載の充電器。
【請求項５】
前記筐体は、前記第１方向の一方側に設けられた第１カバー、及び、前記第１方向の他方側に設けられた第２カバーを有し、
前記第１排出路は、
前記第１カバー及び前記第２カバーの少なくとも一方に設けられ且つ前記第１方向に延びる貫通孔により形成され、
前記第２排出路及び前記第３排出路は、前記第１カバー及び前記第２カバーのそれぞれの間の隙間により形成されることを特徴とする請求項４に記載の充電器。
【請求項６】
前記筐体は、
前記第１壁面のうち、前記第１排出路及び前記第２排出路の少なくとも一方が連通する部分を除く特定領域を区画する延設部であって、前記第１方向の他方側に向けて延びる第１延設部を有し、
前記第１壁部は、
ケーブルが接続されるコネクタを、前記特定領域に有することを特徴とする請求項１から５の何れかに記載の充電器。
【請求項７】
前記コネクタは、前記第２排出路に対して前記第２方向の他方側に配置されたことを特徴とする請求項６に記載の充電器。
【請求項８】
前記筐体は、
他の前記充電器の前記筐体と前記第２方向に配列して係合する係合部を備え、
前記係合部により、前記充電器が前記他の充電器に対して前記第２方向の一方側に係合し、且つ、前記充電器及び前記他の充電器が前記第２姿勢とされた場合において、前記他の充電器の前記第２排出路から排出された前記液体は、前記第１壁面から前記第１方向の他方側に向けて延びる第２延設部に沿って前記第１方向の他方側に向けて流れ、その後、前記コネクタに対して前記第１方向の他方側を通過して前記第２方向の一方側に流れることを特徴とする請求項７に記載の充電器。
【請求項９】
前記受底部は、
前記第１斜面に形成された貫通孔であって、前記装着部に装着された前記バッテリのバッテリ端子と接触する充電端子が、前記第１方向の他方側から一方側に向けて挿通される前記貫通孔を有し、
前記貫通孔と前記第１壁面とを連通する第４排出路を更に有し、
前記第１姿勢で、前記装着部に進入した前記液体は前記第４排出路から排出されることを特徴とする請求項２から５の何れかに記載の充電器。
【請求項１０】
バッテリを着脱可能に装着して充電可能な充電器であって、
筐体と、
第１方向の一方側に開口する開口部を有し、前記バッテリが装着される装着部と、
前記装着部と、前記筐体の外側の壁面とを連通する少なくとも２つの排出路と、
を備え、
前記第１方向の他方側を向く方向と重力方向とが一致する向きで配置された第１姿勢と、前記第１方向の他方側を向く方向と前記重力方向とが直交する向きで配置された第２姿勢とで、前記装着部に進入した液体が、それぞれ異なる前記排出路から排出されることを特徴とする充電器。
【発明の詳細な説明】
【技術分野】
【０００１】
本発明は、充電器に関する。
【背景技術】
【０００２】
バッテリの充電が可能な充電器において、バッテリが装着される装着部に進入した液体等を排出する構成の充電器が様々提案されている。例えば、特許文献１に記載された充電器は、バッテリが載置される平面状の載置面から立設する側壁部と、側壁部の一部に形成される開口部と、開口部の近傍に形成された貫通口とを有する。側壁部は、正極端子及び負極端子のそれぞれの周囲を囲む。載置面に進入した液体は、側壁部によって正極端子及び負極端子の両方に接触することなく、開口部から貫通口を通過して充電器の外側に排出される。
【０００３】
充電器は、壁等に取り付けられた状態で使用される場合がある。特許文献２は、机等の水平面に載置されて使用される第１姿勢と、壁に取り付けられて使用される第２姿勢とのそれぞれで使用可能な充電器を開示する。
【先行技術文献】
【特許文献】
【０００４】
【特許文献１】特開２０１５−１６３０３６号公報
【特許文献２】特開２０１７−２２９１８１号公報
【発明の概要】
【発明が解決しようとする課題】
【０００５】
特許文献１に記載された充電器が、特許文献２に記載されたように壁に取り付けられて使用される可能性がある。しかし、特許文献１では、充電器が水平面に載置された状態で使用されることを想定して側壁部の形状等が規定されている。このため、充電器が壁に取り付けられて使用された場合、進入した液体を排出できない可能性がある。
【０００６】
本発明の目的は、水平面に載置されて使用される場合と、壁に取り付けられて使用される場合の両方において、水等の液体が進入しても速やかに排出することができる充電器を提供することである。
【課題を解決するための手段】
【０００７】
本発明の第１態様に係る充電器は、バッテリを着脱可能に装着して充電可能な充電器であって、筐体と、第１方向の一方側に開口する開口部を有し、前記バッテリが装着される装着部と、前記筐体の前記第１方向の他方側の第１壁部のうち外側を向く第１壁面と前記装着部とを連通する第１排出路と、前記筐体の前記第１方向と直交する第２方向の一方側の第２壁部のうち外側を向く第２壁面と前記装着部とを連通する第２排出路とを備え、前記第１方向の他方側を向く方向と重力方向とが一致する向きで配置された第１姿勢で、前記装着部に進入した液体は前記第１排出路から排出され、前記第２方向の一方側を向く方向と前記重力方向とが一致する向きで配置された第２姿勢で、前記装着部に進入した前記液体が前記第２排出路から排出されることを特徴とする。
【０００８】
充電器は、例えば第１壁部が机等の水平面に対向する向きで載置された場合、第１方向の他方側は重力方向と一致し、第１姿勢となる。この場合、装着部に進入した液体は、第１排出路を介して排出される。一方、充電器は、例えば第１壁部が壁等の垂直面に対向する向きで取り付けられた場合、第２方向の一方側は重力方向と一致し、第２姿勢となる。この場合、装着部に進入した液体は、第２排出路を介して排出される。このように充電器は、異なる複数の姿勢で保持された場合でも、それぞれの姿勢において装着部に進入した液体を、排出路を介して排出できる。
【０００９】
第１態様において、前記装着部は、受底部、前記第２壁部、及び、一対の側板部により形成される凹状を有し、前記第２壁部は、前記第２方向の一方側の端部に設けられ、前記一対の側板部は、前記第１方向及び前記第２方向と直交する第３方向に対向し、前記受底部は、前記開口部の前記第２方向の他方側の端部から、前記第２方向の一方側に行くにつれて前記第１方向の他方側に傾斜した第１傾斜方向に延びる第１斜面、及び、前記第２壁部に近接する部分から、前記第２方向の他方側に行くにつれて前記第１方向の他方側に傾斜した第２傾斜方向に延びる第２斜面を有し、前記第１斜面と前記第２斜面とは、それぞれの前記第１方向の他方側の端部で接続し、前記第１斜面と前記第２斜面とが接続する接続部分は、前記第３方向に延び、且つ、前記第３方向の略中央に向けて前記第１方向の他方側に傾斜し、前記第１排出路は、前記接続部分の前記第３方向の略中央から前記第１方向の他方側に延び、前記第１壁面と連通してもよい。この場合、充電器が第１姿勢である場合において、装着部に進入した液体は、接続部分の第３方向略中央に向けて流れ、第１排出路を介して排出される。このため、充電器は、装着部に進入した液体を適切に排出し、装着部に液体が残存することを抑制できる。
【００１０】
第１態様において、前記第２排出路は、前記受底部の前記第２斜面と前記第２壁部とが近接する近接部分から、前記第１方向の他方側に延び、前記第２壁面のうち前記第１方向略中央の部分に連通してもよい。充電器が第２姿勢である場合において、装着部に進入した液体は、近接部分に向けて流れ、第２排出路を介して排出される。このため、充電器は、装着部に進入した液体を適切に排出し、装着部に液体が残存することを抑制できる。
【００１１】
第１態様において、前記受底部の前記第２斜面と前記第１壁面とを連通する第３排出路を更に備え、前記第１姿勢で、前記装着部に進入した前記液体は、前記第１排出路、前記第２排出路、及び前記第３排出路から排出されてもよい。この場合、充電器が第１姿勢である場合において、装着部に進入した液体は、複数の排出路から排出される。このため、充電器は、装着部に進入した液体を迅速に排出できる。
【００１２】
第１態様において、前記筐体は、前記第１方向の一方側に設けられた第１カバー、及び、前記第１方向の他方側に設けられた第２カバーを有し、前記第１排出路は、前記第１カバー及び前記第２カバーの少なくとも一方に設けられ且つ前記第１方向に延びる貫通孔により形成され、前記第２排出路及び前記第３排出路は、前記第１カバー及び前記第２カバーのそれぞれの間の隙間により形成されてもよい。この場合、充電器は、第１カバー及び第２カバーを組み付けることのみで、第１排出路、第２排出路、及び第３排出路を容易に形成できる。
【００１３】
第１態様において、前記筐体は、前記第１壁面のうち、前記第１排出路及び前記第２排出路の少なくとも一方が連通する部分を除く特定領域を区画する延設部であって、前記第１方向の他方側に向けて延びる第１延設部を有し、前記第１壁部は、ケーブルが接続されるコネクタを、前記特定領域に有してもよい。充電器は、第１排出路及び第２排出路の少なくとも一方から排出された液体がコネクタに接触することを、延設部により防止できる。
【００１４】
第１態様において、前記コネクタは、前記第２排出路に対して前記第２方向の他方側に配置されてもよい。充電器は、第２姿勢において、第２方向の一方側を向く方向と重力方向とが一致する。このため、第２排出路を介して排出される液体は、第２方向の一方側に向けて流れ、第２方向の他方側に流れない。このため、充電器は、第２排出路に対して第２方向の他方側に配置されたコネクタに、第２排出路を介して排出された液体が付着することを抑制できる。
【００１５】
第１態様において、前記筐体は、他の前記充電器の前記筐体と前記第２方向に配列して係合する係合部を備え、前記係合部により、前記充電器が前記他の充電器に対して前記第２方向の一方側に係合し、且つ、前記充電器及び前記他の充電器が前記第２姿勢とされた場合において、前記他の充電器の前記第２排出路から排出された前記液体は、前記第１壁面から前記第１方向の他方側に向けて延びる第２延設部に沿って前記第１方向の他方側に向けて流れ、その後、前記コネクタに対して前記第１方向の他方側を通過して前記第２方向の一方側に流れてもよい。この場合、充電器は、他の充電器の第２排出路を介して排出された液体がコネクタに付着することを、延設部により防止できる。
【００１６】
第１態様において、前記受底部は、前記第１斜面に形成された貫通孔であって、前記装着部に装着された前記バッテリのバッテリ端子と接触する充電端子が、前記第１方向の他方側から一方側に向けて挿通される前記貫通孔を有し、前記貫通孔と前記第１壁面とを連通する第４排出路を更に有し、前記第１姿勢で、前記装着部に進入した前記液体は前記第４排出路から排出されてもよい。この場合、充電器は、貫通孔に沿って充電端子を移動可能とすることができるので、バッテリのバッテリ端子に充電端子を適切に接触させてバッテリを充電できる。又、充電器は、装着部に進入した液体が貫通孔に入った場合、この液体を、第４排出路を介して適切に排出できる。
【００１７】
本発明の第２態様に係る充電器は、バッテリを着脱可能に装着して充電可能な充電器であって、筐体と、第１方向の一方側に開口する開口部を有し、前記バッテリが装着される装着部と、前記装着部と、前記筐体の外側の壁面とを連通する少なくとも２つの排出路と、を備え、前記第１方向の他方側を向く方向と重力方向とが一致する向きで配置された第１姿勢と、前記第１方向の他方側を向く方向と前記重力方向とが直交する向きで配置された第２姿勢とで、前記装着部に進入した液体が、それぞれ異なる前記排出路から排出されることを特徴とする。第２態様によれば、第１態様と同様の効果を奏することができる。
【図面の簡単な説明】
【００１８】
【図１】充電器１Ａ及びバッテリ９の斜視図である。
【図２】第１カバー２の斜視図である。
【図３】第１カバー２の平面図である。
【図４】第１カバー２の底面図である。
【図５】第２カバー３の斜視図である。
【図６】第２カバー３の平面図である。
【図７】第２カバー３の底面図である。
【図８】第２カバー３及び基板ホルダ４の斜視図である。
【図９】充電器１Ａの平面図である。
【図１０】図９のＡ−Ａ線を矢印方向から見た断面図である。
【図１１】バッテリ９を充電姿勢で保持した充電器１Ａの断面図である。
【図１２】バッテリ９が充電姿勢と退避姿勢との間で移動する場合における充電器１Ａの断面図である。
【図１３】バッテリ９を退避姿勢で保持した充電器１Ａの断面図である。
【図１４】充電器１Ａ、１Ｂが連結した状態を示す図である。
【図１５】図１４のＢ−Ｂ線を矢印方向から見た断面図である。
【発明を実施するための形態】
【００１９】
＜充電器１Ａの概要＞
本発明の一実施形態について、図面を参照して説明する。充電器１Ａは、バッテリ９を充電するための充電器である。バッテリ９は、充電器１Ａの装着部７に着脱可能に装着される。バッテリ９は、装着部７に装着された状態で充電される。充電されたバッテリ９は、非図示の印刷装置に装着され、印刷装置を駆動する。充電器１Ａは、水平姿勢又は垂直姿勢で使用することが可能である。水平姿勢は、机等の水平面に載置された状態における充電器１Ａの姿勢である。垂直姿勢は、壁等の垂直面に取り付けられた状態における充電器１Ａの姿勢である。又、充電器１Ａは、充電姿勢又は退避姿勢でバッテリ９を保持することが可能である。充電姿勢は、充電器１Ａの端子（充電端子４０、後述）がバッテリ９の端子（バッテリ端子９０、後述）に接触して充電可能な状態におけるバッテリ９の姿勢である。退避姿勢は、充電器１Ａの充電端子４０がバッテリ９のバッテリ端子９０から離隔した状態におけるバッテリ９の姿勢である。以下、図１の右下側、左上側、右上側、左下側、上側、及び下側を、それぞれ、充電器１Ａの前側、後側、右側、左側、上側、及び下側と定義する。充電器１Ａの各方向は、水平姿勢における充電器１Ａの各方向に対応する。
【００２０】
＜筐体１０（第１カバー２、第２カバー３）＞
図１に示すように、充電器１Ａは筐体１０を有する。筐体１０は、第１カバー２及び第２カバー３を有する。具体的には、第１カバー２は、筐体１０の上側を構成し、第２カバー３は、筐体１０の下側を構成する。
【００２１】
図２〜図４に示すように、第１カバー２は、壁部２１Ｆ、２１Ｅ（図３、図４参照）、２１Ｌ、２１Ｒ、２１Ｕ（図２参照）を有する。壁部２１Ｆ、２１Ｅ、２１Ｌ、２１Ｒ、２１Ｕはそれぞれ、第１カバー２の各壁部のうち前端部、後端部、左端部、右端部、及び上端部を形成する。壁部２１Ｆ、２１Ｅは前後方向と直交する。壁部２１Ｌ、２１Ｒは左右方向と直交する。壁部２１Ｕは、前後方向中央から前端部に向けて下側に傾斜する部分と、前後方向中央から後端部に向けて下側に傾斜する部分とを有する。壁部２１Ｕには、上側に開口する開口部２３が形成される。図３に示すように、開口部２３の形状は、上側から見た状態で左右方向に長い長方形を有する。開口部２３の４辺のうち前後方向に対向する一対の辺２３Ｆ、２３Ｅは、左右方向に延びる。辺２３Ｆは壁部２１Ｆ近傍に配置され、辺２３Ｅは壁部２１Ｅ近傍に配置される。開口部２３の下側に、後述する装着部７が設けられる。壁部２１Ｕのうち開口部２３の左側に、円形の貫通孔２９が形成される。貫通孔２９には、後述するＬＥＤライトパイプ４９（図８参照）の先端部が挿通する。
【００２２】
図３、図４に示すように、第１カバー２の装着部７に、左右方向に長い長方形状の貫通孔７０Ｄが形成される。図４に示すように、貫通孔７０Ｄの４辺のうち前後方向に対向する一対の辺は、それぞれ左右方向に延びる。一対の辺のうち前側の辺は、壁部２１Ｆにより形成され、後側の辺は、後述する傾斜部２４の前端部により形成される。
【００２３】
図５、図６、図７に示すように、第２カバー３は、壁部３１Ｆ、３１Ｅ、３１Ｌ、３１Ｒ、３１Ｂを有する。壁部３１Ｆ、３１Ｅ、３１Ｌ、３１Ｒ、３１Ｂはそれぞれ、第２カバー３の各壁部のうち前端部、後端部、左端部、右端部、及び下端部を形成する。壁部３１Ｆ、３１Ｅは前後方向と直交し、壁部３１Ｌ、３１Ｒは左右方向と直交する。壁部３１Ｂは上下方向と直交し、壁部３１Ｆ、３１Ｅ、３１Ｌ、３１Ｒによって周縁を囲まれる。壁部３１Ｆ、３１Ｅ、３１Ｌ、３１Ｒはそれぞれ、壁部３１Ｂに対して上側及び下側に延びる。
【００２４】
図６に示すように、壁部３１Ｂの上面に、上側に延びる板状のリブ３４が設けられる。リブ３４は、壁部３１Ｂの上側の領域を、領域３４Ａ、３４Ｂ、３４Ｃを含む複数の領域に区画する。領域３４Ａは、壁部３１Ｂの上側の領域の前後方向及び左右方向のそれぞれの略中央に形成される。領域３４Ｂは、領域３４Ａに対して前側に設けられ、左右方向に延びる。領域３４Ａ、３４Ｂを隔てるリブ３４の一部は欠落し、欠落部分３４０を形成する。領域３４Ａ、３４Ｂは欠落部分３４０において連通する。領域３４Ｂには、円形の貫通孔３４１、３４２が設けられる。壁部３１Ｂの上面及び下面は、貫通孔３４１、３４２により連通する。壁部３１Ｂの下面を、「壁面３１０」（図７参照）という。壁面３１０は、筐体１０の下側の壁部のうち外側を向く面に対応する。貫通孔３４１には、後述する第１カバー２の円筒部７６０（図４参照）が上側から連通する。貫通孔３４２は、リブ３４の欠落部分３４０の前側に設けられる。領域３４Ｃは、領域３４Ａに対して右側に設けられる。領域３４Ｃには、電源ケーブルが接続されるコネクタ３８が配置される。コネクタ３８の詳細は後述する。
【００２５】
図７に示すように、壁部３１Ｂの壁面３１０に、下側に延びる板状の第１延設部３５が設けられる。第１延設部３５は、貫通孔３４１の左側、右側、及び後側に設けられる。第１延設部３５は、壁部３１Ｆ、３１Ｅ、３１Ｌ、３１Ｒによって囲まれた壁面３１０の下側の領域を、貫通孔３４１を含む領域３５Ａと、貫通孔３４１を含まない領域３５Ｂとに区画する。領域３５Ｂには、貫通孔３９Ａ及び貫通孔３９Ｂが設けられる。貫通孔３９Ａ、３９Ｂを総称して「貫通孔３９」という。第１延設部３５の下端部に、後側に凹む凹部３５１を有する壁掛け板部３５０が設けられる。充電器１Ａは、壁掛け板部３５０の凹部３５１に、壁等に設けられたフックが掛けられることにより、垂直姿勢で壁等に保持される。
【００２６】
図７に２点鎖線で示すように、コネクタ３８は、入力コネクタ３８Ａ及び出力コネクタ３８Ｂを有する。入力コネクタ３８Ａ及び出力コネクタ３８Ｂは、後述する回路基板３８Ｃに実装されて電気的に接続する。入力コネクタ３８Ａの接続端部は、貫通孔３９Ａから壁面３１０の領域３５Ｂに露出する。出力コネクタ３８Ｂの接続端部は、貫通孔３９Ｂから壁面３１０の領域３５Ｂに露出する。入力コネクタ３８Ａには、非図示のＡＣアダプタの電源ケーブルが接続され、ＤＣ電源が充電器１Ａに供給される。出力コネクタ３８Ｂは、他の充電器の入力コネクタ３８Ａと電源ケーブルを介して接続される。この場合、出力コネクタ３８Ｂから出力されるＤＣ電源は、他の充電器に供給される。
【００２７】
図５に示すように、第２カバー３は更に、壁部３１Ｆの前端部から上側に突出する係合部３６、及び、壁部３１Ｅの後端部から上側に突出する係合部３７を有する。係合部３６は、第１カバー２及び第２カバー３が組み付けられた状態で、第１カバー２の貫通孔７０Ｄ（図４参照）に下側から挿通する。係合部３６は、傾斜部３６Ａ及び凹部３６Ｂを有する。傾斜部３６Ａは、係合部３６の上端部に形成され、前端部から後側に向けて下側に傾斜する。凹部３６Ｂは、傾斜部３６Ａの下側に形成され、後側に凹む。凹部３６Ｂには、他の充電器の係合部３７が係合可能である。つまり、充電器１Ａは、複数台を相互に連結させることができる。この場合、隣り合う充電器間に電源ケーブルを接続すれば、複数のバッテリ9を充電できる。また、係合部３７の下端部に、後側に凹む凹部３７１を備えた壁掛け板部３７０が設けられる（図７参照）。壁掛け板部３７０の用途は、前述の壁掛け板部３５０と同一である。
【００２８】
図１に示すように、第１カバー２の壁部２１Ｆと、第２カバー３の壁部３１Ｆとは、同一平面上に沿って配置され、筐体１０の前側の壁面を形成する。以下、壁部２１Ｆ、３１Ｆのうち前側の面を、「壁面２１０」という。壁面２１０は、筐体１０の前側の壁部のうち外側を向く面に対応する。第１カバー２の壁部２１Ｌと、第２カバー３の壁部３１Ｌとは、同一平面上に沿って配置され、筐体１０の左側の壁面を形成する。第１カバー２の壁部２１Ｒと、第２カバー３の壁部３１Ｒとは、同一平面上に沿って配置され、筐体１０の右側の壁面を形成する。第１カバー２の壁部２１Ｅと、第２カバー３の壁部３１Ｅとは、同一平面上に沿って配置され、筐体１０の後側の壁面を形成する。第１カバー２の装着部７は、第２カバー３の壁部３１Ｂ（図５参照）の上側に配置される。
【００２９】
＜基板ホルダ４＞
図８に示すように、第２カバー３の上側、且つ、前後方向中央よりも後側に、基板ホルダ４が固定される。基板ホルダ４は、屈曲した板状を有し、板部４Ａ、４Ｂ、４Ｃを有する。板部４Ａは前後方向と直交し、壁部３１Ｂから上側に向けて延びる。板部４Ｂは、板部４Ａの上端部から後斜め上側に向けて延びる。板部４Ｃは、板部４Ｂの後端部から後側に向けて延びる。基板ホルダ４の後側には、充電回路及び制御回路等を実装する回路基板３８Ｃ（図１０参照）が前後方向を向くよう設けられる。
【００３０】
板部４Ａの左端部近傍に、ＬＥＤライトパイプ４９が設けられる。ＬＥＤライトパイプ４９は、左側面視逆Ｌ字状に形成された透明の丸棒である。ＬＥＤライトパイプ４９の基端部は、回路基板３８Ｃに設けられた非図示のＬＥＤの前側に配置される。ＬＥＤライトパイプ４９は、ＬＥＤの光を先端部に伝達させ、先端部を光らせることが可能である。ＬＥＤは、装着部７に装着されたバッテリ９の充電状態を報知するよう、回路基板３８Ｃの制御回路によって発光態様が制御される。また、回路基板３８Ｃには、充電端子４０Ａ、４０Ｂ、４０Ｃ（総称して「充電端子４０」という。）が設けられる。充電端子４０は、可撓性を有する屈曲した金属ワイヤにより構成される。充電端子４０は、装着部７に装着された状態のバッテリ９（図１参照）のバッテリ端子９０（図１参照）と接触する。
【００３１】
板部４Ａ、４Ｂ、４Ｃには、上端部から下端部に向けて屈曲しながら延びる板状のガイド凸部４１Ａ、４１Ｂが設けられる。ガイド凸部４１Ａ、４１Ｂは左右方向に離隔し、間に誘導路４２を形成する。誘導路４２の左右方向の幅は、下側に向かう程小さくなる。誘導路４２の下端部は、第２カバー３の領域３４Ａ（図５参照）の上側に配置される。
【００３２】
＜装着部７＞
図１に示すように、装着部７は下側に凹んだ形状を有する。装着部７の上側は開口部２３により上側に開口する。図１、図９、図１０に示すように、装着部７は、第１板部７１、第２板部７２（図１０参照）、第３板部７３（図９、図１０参照）、及び側板部７４Ａ、７４Ｂ（図１、図９参照）により形成される。
【００３３】
図１、図１０に示すように、第１板部７１は第１カバー２により形成される。図１０に示すように、第１板部７１は、開口部２３の辺２３Ｅから前斜め下側に向けて延びる。第１板部７１の内面（以下、「斜面７１０」という。）は、開口部２３の辺２３Ｅから、前側に行くにつれて下側に傾斜した方向（「傾斜方向Ｄ１１」という。）に延びる。
【００３４】
図２、図３に示すように、第１板部７１には、傾斜方向Ｄ１１（図１０参照）に沿って延びるスリット状の貫通孔７０Ａ、７０Ｂ、７０Ｃが設けられる。貫通孔７０Ａ、７０Ｂ、７０Ｃを総称して「貫通孔７０」という（図１参照）。図１に示すように、充電端子４０Ａ、４０Ｂ、４０Ｃの先端付近の接点部分は、貫通孔７０Ａ、７０Ｂ、７０Ｃに下側から挿通し、斜面７１０（図１０参照）から装着部７内に突出する。図９、図１０に示すように、第１板部７１は更に、装着部７の内側に突出する突起部７１Ａ（図９参照）、７１Ｂを有する。突起部７１Ａ、７１Ｂは、第１板部７１の斜面７１０のうち充電端子４０よりも開口部２３側と反対側に配置される。図９に示すように、突起部７１Ａ、７１Ｂは、それぞれ左右方向に延びる。突起部７１Ａ、７１Ｂは、左右方向に一直線状に配置される。突起部７１Ａは、突起部７１Ｂに対して左側に配置される。図１０に示すように、第１板部７１は更に、突起部７１Ａ（図９参照）、７１Ｂよりも開口部２３側と反対側に、下側に窪んだ窪み部７１Ｃを有する。
【００３５】
図１０に示すように、第２板部７２は、第１カバー２の壁部２１Ｕの前端部、及び、壁部２１Ｆの上端部により形成される。第２板部７２は、壁部２１Ｕの前端部に対応する第１部分７２Ａ、及び、壁部２１Ｆの上端部に対応する第２部分７２Ｂを有する。第１部分７２Ａは、開口部２３の辺２３Ｆから前斜め下側に向けて延びる。第１部分７２Ａの内面（以下、「斜面７２０Ａ」という。）は、第１板部７１の斜面７１０の延びる傾斜方向Ｄ１１と平行に延びる。第２部分７２Ｂは、第１部分７２Ａのうち開口部２３側と反対側の端部から、下側に向けて延びる。第２部分７２Ｂの内面（以下、「壁面７２０Ｂ」という。）は、上下方向と平行に延びる。
【００３６】
図９、図１０に示すように、第３板部７３は、第１板部７１及び第２板部７２のそれぞれの、開口部２３と反対側の端部の間に亙って設けられる。図１０に示すように、第３板部７３は、第１カバー２の傾斜部２４と第２カバー３の傾斜部３６Ａにより形成される。第１カバー２の傾斜部２４は、第１カバー２の窪み部７１Ｃのうち開口部２３側と反対側の端部から、前斜め上側に向けて延びる。傾斜部２４、３６Ａは、同一平面に沿って配置され、第３板部７３の内面（以下、「斜面７３０」という。）を形成する。斜面７３０は、壁部２１Ｆに近接する部分、より詳細には、第２板部７２の第２部分７２Ｂの壁面７２０Ｂに対して後側に近接する部分から、後側に行くにつれて下側に傾斜した方向（「傾斜方向Ｄ１２」という。）に延びる。
【００３７】
第１板部７１と第３板部７３とのそれぞれの延びる方向は交差する。第３板部７３のうち壁部２１Ｆから離隔する側の端部は、第１板部７１の窪み部７１Ｃのうち開口部２３と反対側の端部に連接する。第１板部７１の斜面７１０と第３板部７３の斜面７３０とは、それぞれの下端部において接続する。以下、斜面７１０、７３０が互いに接続する部分を、「接続部分７５」という。図９に示すように、接続部分７５は左右方向に延びる。より詳細には、接続部分７５のうち左右方向中央よりも左側の部分７５Ｌは、左端部から中央に向けて下側に僅かに傾斜する。接続部分７５のうち左右方向中央よりも右側の部分７５Ｒは、右端部から中央に向けて下側に僅かに傾斜する。
【００３８】
図１〜図３に示すように、側板部７４Ａ、７４Ｂは、それぞれ左右方向と直交し、且つ、互いに左右方向に対向する。側板部７４Ａは、側板部７４Ｂに対して左側に配置される。側板部７４Ａ、７４Ｂは、装着部７の左右両端部を規定する。側板部７４Ａの上端部に、上側に延びる板状の保持爪７４１Ａが設けられる。側板部７４Ｂの上端部に、上側に延びる板状の保持爪７４１Ｂが設けられる。保持爪７４１Ａ、７４１Ｂの上端部は、それぞれ、左右方向に弾性変形可能である。保持爪７４１Ａの上端部の右側面に、右側に突出する爪部７４２Ａ（図３参照）が設けられる。保持爪７４１Ｂの上端部の左側面に、左側に突出する爪部７４２Ｂが設けられる。
【００３９】
以下、突起部７１Ａ、７１Ｂ、第２板部７２、第３板部７３、保持爪７４１Ａ、７４１Ｂを、「保持部７Ａ」（図１０参照）という。斜面７１０、７３０を、「受底部７Ｂ」（図１０参照）という。
【００４０】
＜第１排出路７６＞
充電器１Ａは、例えば使用者が誤って飲料水等の液体をこぼした場合、装着部７に進入した液体を排出するための第１〜第４排出路７６〜７９を備えている。以下、第１〜第４排出路７６〜７９の詳細を順に説明する。第１排出路７６は、筐体１０の壁部３１Ｂの壁面３１０と装着部７との間を連通する流路である。図４、図１０に示すように、第１排出路７６は、第１カバー２のうち接続部分７５から下側に向けて延びる円筒部７６０の貫通孔により形成される。円筒部７６０は、第２カバー３の壁部３１Ｂの貫通孔３４１（図６参照）を通過し、壁面３１０（図７参照）の下側まで延びる。第１排出路７６は、円筒部７６０の中心を通って上下方向に延びる。図９に示すように、第１排出路７６の上端部は、接続部分７５の左右方向中央に連通する。図１０に示すように、第１排出路７６の下端部は、第２カバー３の壁部３１Ｂの壁面３１０に連通する。つまり、第１排出路７６は、装着部７の接続部分７５の左右方向中央から下側に延び、第２カバー３の壁部３１Ｂの壁面３１０に連通する。第１排出路７６は、装着部７に進入した液体を排出可能である（矢印Ｙ１１（図１０参照））。
【００４１】
＜第２排出路７７＞
第２排出路７７は、筐体１０の壁部２１Ｆの壁面２１０と装着部７との間を連通する流路である。図１０に示すように、第２排出路７７は、第１カバー２の壁部２１Ｆと第２カバー３の係合部３６との間の隙間に形成される。第２排出路７７は、壁部２１Ｆに対応する第２板部７２の第２部分７２Ｂの壁面７２０Ｂと、係合部３６の傾斜部３６Ａのうち第２部分７２Ｂに近接する部分との間の隙間（「近接部分」という。）において、装着部７に連通する。第２排出路７７は、近接部分から、壁面７２０Ｂに沿って下側に向けて延び、前側に曲折して前側に更に延び、壁部２１Ｆ、３１Ｆの壁面２１０に連通する。図１に示すように、第２排出路７７のうち壁面２１０に連通する部分は、筐体１０の壁面２１０（壁部２１Ｆ、３１Ｆの前側面）の上下方向略中央に配置される。第２排出路７７は、装着部７に進入した液体を排出可能である（矢印Ｙ２１（図１０参照））。
【００４２】
＜第３排出路７８＞
第３排出路７８は、筐体１０の壁部３１Ｂの壁面３１０と装着部７との間を連通する流路である。第３排出路７８は、第１カバー２の傾斜部２４と第２カバー３の係合部３６との間の隙間（図１０参照）、第２カバー３の領域３４Ｂ（図６、図１０参照）、及び第２カバー３の貫通孔３４２（図６、図７参照）により形成される。図１０に示すように、第３排出路７８の上端部は、第１排出路７６の上端部よりも上側で斜面７３０に連通する。図９に示すように、第３排出路７８の上端部は、左右方向に一直線状に延びる。図１０に示すように、第３排出路７８は、第１カバー２の傾斜部２４の下側部分と第２カバー３の係合部３６との間の隙間に沿って下側に延び、第２カバー３の領域３４Ｂに連通する。図６に示すように、第３排出路７８は更に、領域３４Ｂから貫通孔３４２を介して下側に延び、図７に示す壁部３１Ｂの壁面３１０に連通する。第３排出路７８は、装着部７に進入した液体を排出可能である（矢印Ｙ３１（図１０参照））。
【００４３】
＜第４排出路７９＞
第４排出路７９は、筐体１０の壁部３１Ｂの壁面３１０と装着部７との間を連通する流路である。第４排出路７９は、第１板部７１の貫通孔７０（図１参照）、基板ホルダ４の誘導路４２（図８参照）、第２カバー３の領域３４Ａ（図６参照）、３４Ｂ（図６参照）、及び第２カバー３の貫通孔３４２（図６、図７参照）により形成される。第４排出路７９の上端部は、貫通孔７０を介して第１板部７１の斜面７１０に連通する（図１参照）。第４排出路７９は、貫通孔７０から下側に向けて誘導路４２に沿って下側に延び（図８参照）、第２カバー３の領域３４Ａに連通する（図６参照）。第４排出路７９は更に、領域３４Ａ、領域３４Ｂを通過し（図６参照）、貫通孔３４２を介して壁部３１Ｂの壁面３１０に連通する（図７参照）。第４排出路７９は、装着部７に進入した液体を排出可能である（矢印Ｙ４１（図１０参照））。
【００４４】
＜バッテリ９＞
図１に示すように、バッテリ９は略直方体状を有する。バッテリ９は、それぞれが対向する一対の第１側面９１（第１側面９１Ａ、９１Ｂ）、一対の第２側面９２（第２側面９２Ａ、９２Ｂ）、一対の第３側面９３（第３側面９３Ａ、９３Ｂ）を有する。第２側面９２Ａの中央に凸部９５が形成される。凸部９５には、板状を有する金属製のバッテリ端子９０Ａ、９０Ｂ、９０Ｃ（総称して「バッテリ端子９０」という。）が設けられる。第１側面９１Ｂには、板状の把手９４が設けられる。
【００４５】
＜バッテリ９の保持態様＞
図１１は、充電姿勢で充電器１Ａに保持されたバッテリ９の状態を示す。バッテリ９が充電姿勢の場合、バッテリ９の一対の第２側面９２は、装着部７の第１板部７１、及び、第２板部７２の第１部分７２Ａと平行に配置される。バッテリ９の第２側面９２Ａは、装着部７の第１板部７１の上側に対向する。バッテリ９の第２側面９２Ａの凸部９５は、装着部７の第１板部７１の突起部７１Ｂに上側から当接する。バッテリ９の凸部９５に設けられたバッテリ端子９０は、装着部７の第１板部７１に設けられた充電端子４０の接点部分に接触する。バッテリ９の第２側面９２Ｂは、装着部７の開口部２３から露出する。
【００４６】
バッテリ９の一対の第３側面９３は、左右方向に対向し、装着部７の側板部７４Ａ、７４Ｂと平行に配置される。装着部７の側板部７４Ａはバッテリ９の第３側面９３Ａに対向する。装着部７の側板部７４Ｂは、バッテリ９の第３側面９３Ｂに対向する。装着部７の保持爪７４１Ａの爪部７４２Ａ（図９参照）、及び、保持爪７４１Ｂの爪部７４２Ｂは、バッテリ９の第２側面９２Ｂのうち第１側面９１Ｂ側の端部に上側から係合する。バッテリ９の一対の第１側面９１は、それぞれ傾斜方向Ｄ１１と直交する。第１側面９１Ａは、第２板部７２及び第３板部７３に近接して配置される。第１側面９１Ｂは、開口部２３から露出する。
【００４７】
上記のように、装着部７に載置された充電姿勢のバッテリ９は、保持部７Ａの突起部７１Ａ、７１Ｂ、及び、保持爪７４１Ａ、７４１Ｂにより支持される。これによりバッテリ９は、充電可能な状態で充電器１Ａに保持される。
【００４８】
バッテリ９は、充電姿勢のバッテリ９を、左側から見た場合において時計回り方向に回転させることによって、退避姿勢に変更可能である。例えば使用者は、把手９４を摘まんでバッテリ９を手前側（前上方）に引き上げることにより、バッテリ９の姿勢を充電姿勢から退避姿勢に変更できる。以下、回転方向（時計回り方向又は反時計回り方向）を説明する場合、特に説明のない限り、左側から見た場合を前提とする。
【００４９】
図１２は、バッテリ９を充電姿勢から退避姿勢（図１３参照）に変更する途中の状態を示す。充電姿勢のバッテリ９（図１１参照）は、装着部７の突起部７１Ａ、７１Ｂを支点として時計回り方向に回転する。装着部７の保持爪７４１Ａ、７４１Ｂは左右外側に弾性変形し、爪部７４２Ａ（図９参照）、７４２Ｂは、バッテリ９の第２側面９２Ｂから外れる。バッテリ９の第１側面９１Ａと第２側面９２Ａとの接触部分は、装着部７の第３板部７３に接触しながら移動し、窪み部７１Ｃに進入する。更にバッテリ９が回転することに応じ、バッテリ９の第１側面９１Ａと第２側面９２Ａとの接触部分は、窪み部７１Ｃの縁に沿って突起部７１Ａ、７１Ｂ側に移動する。バッテリ９の第２側面９２Ａは、装着部７の第１板部７１に対向した状態から上側に移動する。バッテリ９のバッテリ端子９０は、装着部７の充電端子４０から離隔する。バッテリ９の第１側面９１Ａは、装着部７の第３板部７３に対向する。バッテリ９が更に時計回り方向に回転することにより、バッテリ９は退避姿勢となる（図１３参照）。
【００５０】
図１３は、退避姿勢で充電器１Ａに保持されたバッテリ９の状態を示す。バッテリ９が退避姿勢の場合、第１側面９１Ａ、９１Ｂはそれぞれ略上下方向と直交し、且つ、互いに略上下方向に対向する。第１側面９１Ａの前端部は、第３板部７３に当接する。バッテリ９の第１側面９１Ｂは、開口部２３よりも上側に突出する。
【００５１】
第２側面９２Ａ、９２Ｂはそれぞれ略前後方向と直交し、且つ、互いに略前後方向に対向する。第２側面９２Ａの下端部は、突起部７１Ａ、７１Ｂに前側から当接する。退避姿勢におけるバッテリ９の時計回り方向の回転は、第２側面９２Ａの下端部が突起部７１Ａ、７１Ｂに当接することによって制限される。バッテリ９のバッテリ端子９０は、装着部７の充電端子４０から離隔する。第２側面９２Ｂは、開口部２３の辺２３Ｆ、言い換えれば、第２板部７２の第１部分７２Ａに当接する。第３側面９３Ａ、９３Ｂはそれぞれ左右方向と直交し、且つ、互いに略左右方向に対向する。
【００５２】
上記のように、装着部７に載置された退避姿勢のバッテリ９は、保持部７Ａの突起部７１Ａ、７１Ｂ、第２板部７２の第１部分７２Ａ、及び、第３板部７３により支持される。これによりバッテリ９は、充電姿勢（図１１参照）と異なる退避姿勢で充電器１Ａに保持される。
【００５３】
＜充電器１Ａの使用態様（姿勢）＞
充電器１Ａが机等の水平面に載置された水平姿勢で使用される場合、充電器１Ａは、下方向と重力方向とが一致する向きで配置される。この場合、充電器１Ａの開口部２３は、重力方向と反対方向（上方向）に開口し、第２カバー３の壁部３１Ｂ（図５等参照）が水平面と対向する。
【００５４】
一方、充電器１Ａが壁等の垂直面に取り付けられた垂直姿勢で使用される場合、充電器１Ａは、前方向と重力方向とが一致する向きで配置される。例えば充電器１Ａは、垂直面に設けられたフックに壁掛け板部３５０、３７０の凹部３５１、３７１（図７参照）の両方或いは片方が掛けられることにより、垂直姿勢で使用される。この場合、開口部２３は水平方向に開口し、第２カバー３の壁部３１Ｂ（図５等参照）が垂直面と対向する。
【００５５】
＜充電器１Ａの使用態様（連結）＞
充電器１Ａは、他の充電器（例えば、充電器１Ｂ）と連結して使用することが可能である。図１４及び図１５は、充電器１Ａ、１Ｂが連結された状態を示す。充電器１Ａ、１Ｂは、前後方向に配列した状態で連結される。図１４に示すように、充電器１Ａは、充電器１Ｂに対して前側に配置される。図１５に示すように、充電器１Ｂの係合部３６に、充電器１Ａの係合部３７が係合されることにより、充電器１Ａ、１Ｂは連結される。なお、連結可能な充電器１Ａ、１Ｂの数は２に限定されず、３つ以上であってもよい。充電器が３つ以上連結された場合、それぞれは、前後方向に一列に配列される。
【００５６】
図１４に示すように、連結された状態の充電器１Ａ、１Ｂがそれぞれ水平姿勢で使用される場合、充電器１Ａ、１Ｂは水平方向に配列される。一方、図１５に示すように、連結された状態の充電器１Ａ、１Ｂがそれぞれ垂直姿勢で使用される場合、充電器１Ａ、１Ｂは垂直方向に配置される。充電器１Ｂ、１Ａは、この順で重力方向（図１５における下方向）に配列される。
【００５７】
連結された充電器１Ａ、１Ｂのそれぞれがバッテリ９を充電することにより、１度に２つのバッテリを充電することが可能となる。具体的には、充電器１Ａのコネクタ３８ＡにＡＣアダプタの電源ケーブルを接続し、且つ、充電器１Ａのコネクタ３８Ｂと充電器１Ｂのコネクタ３８Ａに電源ケーブルを接続して使用する。このように、充電器１Ａ、１Ｂは、共通するＡＣアダプタにより供給されるＤＣ電源により２つのバッテリ９を充電できる。
【００５８】
＜本実施形態の主たる作用、効果＞
充電器１Ａの装着部７に進入した液体は、重力方向に沿って流れ、重力方向の端部（以下、「装着部７の最深部」という。）に溜まる。充電器１Ａが水平姿勢で配置された場合、最深部は、装着部７の下端部に対応する。これに対し、第１排出路７６は、装着部７の下端部に連通し、壁部３１Ｂの壁面３１０に向けて延びる。このため充電器１Ａが水平姿勢である場合において、装着部７に進入して下端部に溜まった液体は、第１排出路７６を介して排出される（矢印Ｙ１１（図７参照））。一方、充電器１Ａが垂直姿勢で配置された場合、最深部は、装着部７の前端部に対応する。これに対し、第２排出路７７は、装着部７の前端部に連通し、壁部２１Ｆ、３１Ｆの壁面２１０に向けて流れる（矢印Ｙ２１（図７参照））。このため、充電器１Ａが垂直姿勢である場合において、装着部７に進入して前端部に溜まった液体は、第２排出路７７を介して排出される。このように充電器１Ａは、異なる複数の姿勢（水平姿勢又は垂直姿勢）で保持された場合でも、それぞれの姿勢において装着部７に進入した液体を、第１排出路７６及び第２排出路７７を介して排出できる。
【００５９】
水平姿勢における充電器１Ａの装着部７の最深部は、斜面７１０、７３０が互いに接続する接続部分７５に対応する。斜面７１０、７３０はそれぞれ、接続部分７５に向けて、重力方向に対して傾斜する方向に延びる。このため、水平姿勢において装着部７に進入した液体は、斜面７１０、７３０に沿って接続部分７５に流れる。更に、接続部分７５のうち左右方向中央よりも左側の部分７５Ｌは、左端部から中央に向けて下側に僅かに傾斜する。接続部分７５のうち左右方向中央よりも右側の部分７５Ｒは、右端部から中央に向けて下側に僅かに傾斜する。このため、接続部分７５に溜まった液体は、左右方向中央に向けて流れる（矢印Ｙ１２（図６参照））。接続部分７５の左右方向中央には、第１排出路７６が連通する。接続部分７５に溜まった液体は、第１排出路７６を介して排出される（矢印Ｙ１１（図７参照））。このように、水平姿勢の充電器１Ａは、装着部７に進入した液体を、第１排出路７６を介して適切に排出し、装着部７に液体が残存することを抑制できる。
【００６０】
垂直方向における充電器１Ａの装着部７の最深部は、第２板部７２の第２部分７２Ｂの壁面７２０Ｂに対応する。このため、垂直姿勢において装着部７に進入した液体は、第２部分７２Ｂの壁面７２０Ｂに溜まる。第２排出路７７は、斜面７３０と壁面７２０Ｂとが近接する部分から下側に延び、壁部２１、３１の壁面２１０に連通する。この場合、壁面７２０Ｂに溜まった液体は、第２排出路７７を介して排出される（矢印Ｙ２１（図７参照））。このように、垂直姿勢の充電器１Ａは、装着部７に進入した液体を、第２排出路７７を介して適切に排出し、装着部７に液体が残存することを抑制できる。又、第２排出路７７は、壁面２１０の上下方向略中央に連通する。このため、垂直姿勢の充電器１Ａの第２排出路７７から排出された液体が、壁面２１０の上端部の開口部２３に進入し、バッテリ９に付着することを抑制できる。又、垂直姿勢の充電器１Ａの第２排出路７７から排出された液体が、壁面２１０の下端部近傍に配置された壁等に付着し、壁等が液体で汚れることを抑制できる。
【００６１】
充電器１Ａは、斜面７３０と壁面３１０とを連通する第３排出路７８を備える。充電器１Ａは、水平姿勢である場合において、装着部７に進入した液体を、第３排出路７８を介して排出できる（矢印Ｙ３１（図７参照））。つまり、水平姿勢の充電器１Ａは、装着部７に進入した液体を、第１排出路７６、第２排出路７７、及び第３排出路７８の少なくとも何れかから排出できる。（矢印Ｙ１１、Ｙ２１、Ｙ３１（図７参照））。このため充電器１Ａは、例えば大量の液体が一度に装着部７に進入した場合でも、この液体を迅速に排出できる。
【００６２】
第１排出路７６は、第１カバー２のうち接続部分７５から下側に向けて延びる円筒部７６０の貫通孔により形成される。第２排出路７７及び第３排出路７８は、第１カバー２と第２カバー３とのそれぞれの間の隙間により形成される。この場合、充電器１Ａは、第１カバー２及び第２カバー３を組み付けることのみで、第１排出路７６、第２排出路７７、及び第３排出路７８を容易に形成できる。
【００６３】
壁部３１Ｂの壁面３１０に設けられた第１延設部３５は、壁面３１０の下側の領域を、貫通孔３４１を含む領域３５Ａと、貫通孔３４１を含まない領域３５Ｂとに区画する。貫通孔３４１には、第１排出路７６が形成される円筒部７６０が挿通される。領域３５Ｂには、コネクタ３８Ａに電源ケーブルを接続するための貫通孔３９Ａ、及び、コネクタ３８Ｂに電源ケーブルを接続するための貫通孔３９Ｂが設けられる。この場合、充電器１Ａは、第１排出路７６から排出された液体がコネクタ３８に接触することを、第１延設部３５により領域３５Ｂを区画することで防止できる。
【００６４】
充電器１Ａの壁部２１は筐体１０の前端部に配置されるので、筐体１０内の各構成、例えばコネクタ３８は、壁部２１に沿って形成される第２排出路７７よりも後側に配置される（図７参照）。又、垂直姿勢の充電器１Ａにおいて、第２排出路７７を介して排出される液体は、重力方向に沿って壁面２１０に向けて流れ（矢印Ｙ２１（図７参照））、壁面２１０と反対側に流れない。このため充電器１Ａは、垂直姿勢とした場合において、第２排出路７７に対して後側に配置されたコネクタ３８に、第２排出路７７を介して排出された液体が付着することを抑制できる。
【００６５】
筐体１０の第２カバー３は、充電器１Ｂと前後方向に配列して係合することが可能な係合部３６、３７を備える。例えば充電器１Ａは、係合部３６、３７によって充電器１Ｂの前側に係合する（図１４、図１５参照）。図１５に示すように、互いに連結した状態の充電器１Ａ、１Ｂがそれぞれ垂直姿勢とされて壁Ｗに取り付けられた場合、充電器１Ｂの第２排出路７７から排出された液体は、壁部２１Ｆの壁面２１０に排出される（矢印Ｙ２２）。液体は更に、充電器１Ａの第２カバー３の壁部３１Ｅに沿って、壁Ｗ側（壁部３１Ｅの下端部）に向けて水平方向に流れる（矢印Ｙ２３）。壁部３１Ｅの下端部に到達した液体は、その後、コネクタ３８に対して壁Ｗに近接する側（充電器１Ａの下側）を通過して重力方向に流れる（矢印Ｙ２４）。このように、充電器１Ａは、充電器１Ｂと係合した状態で垂直姿勢で使用される場合、充電器１Ｂの第２排出路７７を介して排出された液体がコネクタ３８に付着することを、壁部３１Ｅにより防止できる。
【００６６】
装着部７は、斜面７１０に形成された貫通孔７０を有する。貫通孔７０には、バッテリ９のバッテリ端子９０と接触する充電端子４０の先端付近の接点部分が挿通される。充電端子４０は可撓性を有するので、装着部７に装着したバッテリ９のバッテリ端子９０に充電端子４０を適切に接触させてバッテリ９を充電できる。又、充電器１Ａは、貫通孔７０と壁面３１０とを連通する第４排出路７９を有する。充電器１Ａが第１姿勢とされた場合において、装着部７に進入した液体は、第４排出路から排出される。より具体的には、図７に示すように、装着部７に進入した液体は、貫通孔７０から下側に向けて誘導路４２（図８参照）、に沿って下側に流れ、第２カバー３の領域３４Ａ（図６参照）に溜まる。液体は更に、領域３４Ａ、領域３４Ｂ（図６参照）を通過し、貫通孔３４２（図６参照）を介して壁部３１Ｂの壁面３１０に流れる。このように、充電器１Ａは、装着部７に進入した液体が貫通孔７０に入った場合、この液体を、第４排出路７９を介して適切に排出できる。
【００６７】
＜変形例＞
本発明は上記実施形態に限定されず、種々の変更が可能である。斜面７１０、７３０の少なくとも一方は、湾曲していてもよいし、凹凸が形成されていてもよい。第３板部７３の斜面７３０は、上下方向に対して傾斜していなくてもよく、例えば、斜面７３０は上下方向と直交してもよい。接続部分７５は、左右方向中央に向けて傾斜していなくてもよく、左右方向と平行に延びていてもよい。
【００６８】
第２排出路７７が連通する壁面２１０の部位は、上下方向略中央に限定されない。例えば第２排出路７７は、壁面２１０の上端近傍、下端近傍等に連通してもよい。第２排出路７７は、第２カバー３の係合部３６に設けられた貫通孔により形成されてもよい。この場合、第２排出路７７のうち装着部７に連通する部分は、第２板部７２の壁面７２０Ｂに近接していなくてもよい。
【００６９】
第３排出路７８は、第１板部７１の斜面７１０に連通していてもよい。充電器１Ａは、水平姿勢である場合において、第１排出路７６及び第３排出路７８の少なくとも一方からのみ排出され、第２排出路７７から排出されなくてもよい。充電器１Ａに第３排出路７８は設けられなくてもよい。
【００７０】
第１排出路７６は、第２カバー３の壁部３１から上側に向けて延びる円筒部の貫通孔により形成されてもよい。この円筒部は、装着部７の接続部分７５に下側から挿通することにより、装着部７に連通してもよい。第１排出路７６は、第１カバー２と第２カバー３との間の隙間により形成されてもよい。第３排出路７８は、第１カバー２の傾斜部２４から下側に向けて延びる円筒部の貫通孔により形成されてもよい。又は、第３排出路７８は、第２カバー３の係合部３６に設けられた貫通孔により形成されてもよい。
【００７１】
壁部３１Ｂの壁面３１０に設けられる第１延設部３５は、壁面３１０の下側の領域を、貫通孔３４１、３４２を含む領域と、貫通孔３４１、３４２を含まない領域とに区画してもよい。なお、貫通孔３４１には、第１排出路７６を含む円筒部７６０が挿通される。貫通孔３４２は、第３排出路７８の一部を形成する。一方、貫通孔３４１、３４２を含まない領域には、コネクタ３８Ａに電源ケーブルを接続するための貫通孔３９Ａ、及び、コネクタ３８Ｂに電源ケーブルを接続するための貫通孔３９Ｂが設けられてもよい。この場合、充電器１Ａは、第１排出路７６及び第２排出路７７から排出された液体がコネクタ３８に接触することを、第１延設部３５により防止できる。一方、壁部３１Ｂに第１延設部３５は設けられなくてもよい。
【００７２】
充電器１Ａは、壁部３１Ｂから下側に向けて延びる第２延設部を、壁部３１Ｅとは別に有していてもよい。充電器１Ａ、充電器１Ｂがそれぞれ垂直姿勢とされて壁Ｗに取り付けられた場合において、充電器１Ｂの第２排出路７７から排出された液体は、壁部３１Ｅに沿って流れる代わりに、新たに設けられた第２延設部に沿って流れてもよい。
【００７３】
充電器１Ａの充電端子４０は、装着部７の第１板部７１の斜面７１０に直接接続されていてもよい。この場合、斜面７１０に貫通孔７０は設けられなくてもよい。更にこの場合、第４排出路７９は形成されなくてもよい。
【００７４】
＜その他＞
上下方向は、本発明の「第１方向」の一例である。上側は、本発明の「第１方向の一方側」である。下側は、本発明の「第１方向の他方側」の一例である。前後方向は、本発明の「第２方向」の一例である。前側は、本発明の「第２方向の一方側」である。後側は、本発明の「第２方向の他方側」の一例である。左右方向は、本発明の「第３方向」の一例である。壁部３１Ｂは、本発明の「第１壁部」の一例である。壁面３１０は、本発明の「第１壁面」の一例である。壁部２１、３１は、本発明の「第２壁部」の一例である。壁面２１０は、本発明の「第２壁面」の一例である。水平姿勢は、本発明の「第１姿勢」の一例である。垂直姿勢は、本発明の「第２姿勢」の一例である。受底部７Ｂは、本発明の「受底部」の一例である。側板部７４Ａ、７４Ｂは、本発明の「一対の側板部」の一例である。傾斜方向Ｄ１１は、本発明の「第１傾斜方向」の一例である。斜面７１０は、本発明の「第１斜面」の一例である。傾斜方向Ｄ１２は、本発明の「第２傾斜方向」の一例である。斜面７３０は、本発明の「第２斜面」の一例である。壁部３１Ｅは、本発明の「第２延設部」の一例である。領域３５Ｂは、本発明の「特定領域」の一例である。
【符号の説明】
【００７５】
１Ａ、１Ｂ      ：充電器
２        ：第１カバー
３        ：第２カバー
７        ：装着部
７Ｂ      ：受底部
９        ：バッテリ
１０      ：筐体
２１Ｆ    ：壁部
２３      ：開口部
２３Ｅ、２３Ｆ    ：辺
３１Ｂ    ：壁部
３５      ：第１延設部
３５Ａ、３５Ｂ    ：領域
３６、３７      ：係合部
３８      ：コネクタ
４０、４０Ａ、４０Ｂ、４０Ｃ    ：充電端子
７０、７０Ａ、７０Ｂ、７０Ｃ    ：貫通孔
７４Ａ、７４Ｂ    ：側板部
７５      ：接続部分
７６      ：第１排出路
７７      ：第２排出路
７８      ：第３排出路
７９      ：第４排出路
９０、９０Ａ、９０Ｂ、９０Ｃ    ：バッテリ端子
２１０、３１０    ：壁面
７１０、７２０Ａ、７３０    ：斜面
Ｄ１１、Ｄ１２    ：傾斜方向
【図１】
2019193469.tif 000003
【図２】
2019193469.tif 000004
【図３】
2019193469.tif 000005
【図４】
2019193469.tif 000006
【図５】
2019193469.tif 000007
【図６】
2019193469.tif 000008
【図７】
2019193469.tif 000009
【図８】
2019193469.tif 000010
【図９】
2019193469.tif 000011
【図１０】
2019193469.tif 000012
【図１１】
2019193469.tif 000013
【図１２】
2019193469.tif 000014
【図１３】
2019193469.tif 000015
【図１４】
2019193469.tif 000016
【図１５】
2019193469.tif 000017